(57)【要約】  【課題】腰回りに装着しても容易にずり落ちることのなく、長靴下をしっかりと吊り上げることのできる長靴下吊り具を提供する。  【解決手段】長靴下吊り具１は、左右何れかの片脚に装着された長靴下８を吊り上げる長靴下吊り具１において、人体の腰回りに装着される牽引紐１０と、牽引紐１０の両端にそれぞれ設置される、長靴下８の開口上端に着脱可能に固定される留め具２５と、牽引紐１０が輪を構成するように、その両端から所定の位置で交差した状態で連結する交差連結具２０と、を備え、人体への装着時に、留め具２５が交差連結具２０の方向に斜め上方に引っ張られ、長靴下８が、その開口上端が閉まるように締め付けられながら吊り上げられること特徴とする。【選択図】図１
2016151079.tif 000002
【特許請求の範囲】
【請求項１】
左右何れかの片脚に装着された長靴下を吊り上げる片脚用の長靴下吊り具において、
人体の腰回りに装着される牽引紐と、
前記牽引紐の両端にそれぞれ設置される、前記長靴下の開口上端に着脱可能に固定される留め具と、
前記牽引紐が輪を構成するように、その両端から所定の位置で交差した状態で連結する交差連結具と、を備え、
人体への装着時に、前記留め具が前記交差連結具の方向に斜め上方に引っ張られ、前記長靴下が、その開口上端が閉まるように締め付けられながら吊り上げられることを特徴とする長靴下吊り具。
【請求項２】
請求項１に記載の片脚用の長靴下吊り具を右脚用及び左脚用として二つ備える両脚用の長靴下吊り具において、
右脚用の前記牽引紐と左脚用の前記牽引紐とを所定の場所で連結する左右連結具であって、装着時に人体の前側において連結する前側左右連結具と、装着時に人体の後側において連結する後側左右連結具と、を有する左右連結具を備えることを特徴とする長靴下吊り具。
【請求項３】
前記交差連結具は、前記牽引紐の両端の突出部分が3〜10cmとなる位置でスライド可能に連結していることを特徴とする請求項１又は２記載の長靴下吊り具。
【発明の詳細な説明】
【技術分野】
【０００１】
本発明は、脚に装着された長靴下を吊り上げるために人体に装着される長靴下吊り具に関する。
【背景技術】
【０００２】
従来から、脚に装着されたガーターストッキング等の長靴下がずり落ちるのを防ぐために、長靴下の上部を挟んで吊り上げるガーターベルト等の長靴下吊り具が提供されている。
【０００３】
下記特許文献１には、ストッキングへの固定操作を片手で簡単に行うことのできるガーターベルトが開示され、下記特許文献２には、ガーターベルト機能の付いたショーツが開示されている。
【先行技術文献】
【特許文献】
【０００４】
【特許文献１】登録実用新案第３１６１９２５号公報
【特許文献２】登録実用新案第３０９４６４９号公報
【発明の概要】
【発明が解決しようとする課題】
【０００５】
しかし、従来の吊り上げ式のガーターベルトでは、腰回りのベルト部分に、ストッキングを吊り上げようとする反力がそのまま下向きに作用するため、ベルト部分を装着者の腰にきつく締め付けて装着しておかないと、ガーターベルトがずり落ちてしまう。
【０００６】
本発明は、このような課題に鑑みてなされたものであり、腰回りに装着しても容易にずり落ちることがなく、長靴下をしっかりと吊り上げることのできる長靴下吊り具を提供することを目的とする。
【課題を解決するための手段】
【０００７】
上記課題を解決するための本発明に係る長靴下吊り具は、左右何れかの片脚に装着された長靴下を吊り上げる片脚用の長靴下吊り具において、人体の腰回りに装着される牽引紐と、前記牽引紐の両端にそれぞれ設置される、前記長靴下の開口上端に着脱可能に固定される留め具と、前記牽引紐が輪を構成するように、その両端から所定の位置で交差した状態で連結する交差連結具と、を備え、人体への装着時に、前記留め具が前記交差連結具の方向に斜め上方に引っ張られ、前記長靴下が、その開口上端が閉まるように締め付けられながら吊り上げられることを特徴とする。
【発明の効果】
【０００８】
本発明に係る長靴下吊り具によれば、長靴下を斜め上方に吊り上げると共に、その上端開口を締め付けることで、長靴下がしっかりと脚に装着され、長靴下吊り具も容易にずり落ちたりしない。
【図面の簡単な説明】
【０００９】
【図１】図１は、本発明の第一実施形態に係るストッキング吊り具の斜視図である。
【図２】図２は、本発明の第一実施形態に係るストッキング吊り具の装着状態を示す図である。
【図３】図３は、本発明の第一実施形態に係るストッキング吊り具の装着状態を示す図である。
【図４】図４は、本発明の第一実施形態に係るストッキング吊り具の装着状態を示す図である。
【図５】図５は、本発明の第二実施形態に係るストッキング吊り具の斜視図である。
【図６】図６は、本発明の第二実施形態に係るストッキング吊り具の装着状態を示す図である。
【図７】図７は、本発明の第三実施形態に係るストッキング吊り具の斜視図である。
【図８】図８は、本発明の第三実施形態に係るストッキング吊り具の装着状態を示す図である。
【図９】図９は、第一乃至第三実施形態に係る交差連結具の変形例を示す図である。
【発明を実施するための形態】
【００１０】
（第一実施形態）
まず、図面を参照しながら本発明の第一実施形態について説明する。本実施形態では、長靴下吊り具として、脚の太腿までの長さのガーターストッキングを吊り上げるストッキング吊り具を例に挙げて説明する。
【００１１】
図１は、第一実施形態に係るストッキング吊り具の斜視図である。図２乃至図４は、第一実施形態に係るストッキング吊り具の装着状態を示す図である。なお、本実施形態では、片脚用ストッキング吊り具１について説明する
【００１２】
ストッキング吊り具１は、牽引紐１０と、牽引紐１０の両端から所定の長さ離れた位置を交差させた状態で連結する交差連結具２０と、牽引紐１０の両端に設置されたクリップ２５とを備えている。
【００１３】
牽引紐１０は、ブラジャーの肩紐等として用いられている細いテープ状紐から構成されている。このテープ状紐は、伸縮率が1.6倍と伸縮性の高い紐である。牽引紐１０は、その両端に設置された、クリップ２５と接続するための端部接続具としてのエイトカン１２を備えている。また、牽引紐１０は、二本のテープ状紐が着脱部材１５によって連結されて一本の長尺の紐となっている。
【００１４】
着脱部材１５は、二本のテープ状紐のそれぞれの連結側端部に設置されたエイトカン１６と、ゼットカン１７とを備えている。ゼットカン１７は、一方のエイトカン１６ａによって形成された輪にリング部分が固定され、他方のエイトカン１６ｂによって形成された輪に対して着脱される。
【００１５】
交差連結具２０は、牽引紐１０をその両端が所定の長さ飛び出すような略円形状（小文字のαのような形状）とした状態で、交差部分において重ねられたテープ状紐を連結している。本実施形態では、交差連結具２０として、牽引紐１０の幅よりも若干広い内幅（牽引紐１０が通される部分の幅）のエイトカンを用いている。
【００１６】
交差連結具２０によって両端から所定の位置が交差状態で重ねられた牽引紐１０は、輪の部分（腰回り輪１０ａ）が略水平になるような人体への装着状態において、その両端の突出部分１０ｂが、交差連結具２０が位置する交差部から、左右斜め下方に広がるように垂れ下がる。なお、交差連結具２０は、牽引紐１０を強く引っ張れば牽引紐１０に対してスライド可能設置されており、交差連結位置を調整することで、突出部分１０ｂの長さを適宜調整可能である。また、上述した着脱部材１５は、交差連結具２０による交差連結によって構成される腰回り輪１０ａの部分に設置されている。
【００１７】
クリップ２５は、ガーターストッキング８の開口上端の所定の場所を着脱可能に挟み込んで固定する留め具であり、本実施形態では、ガーターベルトに用いられているボストンが使用される。クリップ２５は、その根元の輪の部分に、牽引紐１０の先端に設置されたエイトカン１２によって形成された輪が通されて牽引紐１０の両端に接続設置されている。
【００１８】
もちろん、クリップ２５としては、ガーターボストンに限らず、他の構成のクリップを使用することができる。さらに、ガーターストッキング８の上端を固定することができる留め具であれば、挟んで留めるクリップ以外の留め具であっても良い。
【００１９】
第一実施形態に係るストッキング吊り具１のサイズは、牽引紐１０の幅が10mm、エイトカン１２，１６、ゼットカン１７及びクリップ２５の内幅（牽引紐１０が通される部分の幅）が10mm、交差連結具２０の内幅が13mmである。
【００２０】
また、牽引紐１０の全長は70cmであり、交差連結具２０の交差部分から左右斜め下方に広がるように飛び出した突出部分１０ｂの長さは、それぞれ5cmである。よって、牽引紐１０を装着した際の腰回り輪１０ａの周長は60cmである。
【００２１】
続いて、ストッキング吊り具１の使用態様について説明する。ここでは、図２に示すように、右脚に装着されたガーターストッキング８を吊り上げるためにストッキング吊り具１を装着する場合について説明する。
【００２２】
ストッキング吊り具１の装着にあたっては、まず、牽引紐１０の腰回り輪１０ａの部分を腰回りに装着する。牽引紐１０の装着は、着脱部材１５を外して連結状態を解除し、腰回り輪１０ａの開いた部分から牽引紐１０を腰の周囲に回す。この状態で、着脱部材１５を連結して腰回り輪１０ａを閉じ、牽引紐１０を腰回りに装着する。
【００２３】
そして、ストッキング吊り具１の交差連結具２０が右脚の前面の略中心に位置するように、牽引紐１０の位置を調整する。その後、牽引紐１０の両先端部のクリップ２５を、右脚に装着されたガーターストッキング８の開口上端を挟み込むように取り付ける。
【００２４】
クリップ２５で挟み込む留め位置は、ガーターストッキング８の開口上端の所定の位置であり、交差連結具２０から斜め下方に延在する牽引紐１０の突出部分１０ｂがそれぞれガーターストッキング８の上端と交差する場所付近である。
【００２５】
このとき、左右の突出部分１０ｂを少し外側に広げた状態で斜め下方に引っ張り、交差するガーターストッキング８の上端に取り付けると良い。このように広げることで、後述するガーターストッキング８の開口を締め付ける力をより強くすることができる。
【００２６】
なお、ストッキング吊り具１の装着手順は適宜変更可能であるのは言うまでもない。例えば、着脱部材１５により牽引紐１０を連結したままで装着しても良く、その場合には、装着者の両脚を腰回り輪１０ａに通して牽引紐１０を腰回りに装着する必要がある。
【００２７】
また、先にクリップ２５でガーターストッキング８の開口上端を挟み込んだ状態で、ガーターストッキング８を脚に装着し、その後、牽引紐１０を腰の周囲に回して着脱部材１５を連結し、牽引紐１０を腰回りに装着するようにしても良い。この場合には、さらに、脱ぐときにも着脱部材１５を外すのみで、クリップ２５は挟み込んだままにし、ストッキング吊り具１とガーターストッキング８とを連結したままで保管や洗濯等をしても良い。
【００２８】
以上により、図２に示すように、ガーターストッキング８を吊り上げるように右脚用のストッキング吊り具１が装着される。装着状態では、牽引紐１０の両側端部が、交差連結具２０において、アルファベットＸ字のようにクロスした状態となる。
【００２９】
本実施形態では、クリップ２５によって挟まれて吊り上げられるガーターストッキング８の留め位置は、伸縮性のある牽引紐１０によって交差連結具２０に向けて斜め上方に引っ張られるため、ガーターストッキング８の開口は、二箇所の留め位置が近付くように引っ張られる。すなわち、ガーターストッキング８の開口が閉まるように締め付けられる。
【００３０】
このように、ガーターストッキング８は、ストッキング吊り具１により斜め上方に吊り上げられると共に、その上端開口が締め付けられるため、装着された脚からずり落ちるのを確実に防止し、しっかりと脚に装着される。
【００３１】
また、このように開口が締め付けられてガーターストッキング８がずり落ち難くなることで、ガーターストッキング８を垂直上方に吊り上げる力は小さくて済み、ストッキング吊り具１に対して作用する下向きの力は小さくなる。よって、牽引紐１０を腰回りに強く締め付けて装着しなくても、ストッキング吊り具１がずり落ちるようなことはない。
【００３２】
続いて、図３及び図４を参照しながら、ストッキング吊り具１を両脚に装着する場合について説明する。片脚用のストッキング吊り具１は、左脚用、右脚用とで略同じ構成であり、どちらの脚にも用いることができる。図３は、図２に示した装着方法と同じ方法により、左右の両脚にストッキング吊り具１を装着した状態を示している。  
【００３３】
また、図４は、図２に示した装着方法とは異なる方法で、左右の両脚にストッキング吊り具１を装着した状態を示している。図２及び図３の装着方法では、牽引紐１０の腰回り輪１０ａが腰回りを一周しているのに対して、図４の装着方法では、腰回り輪１０ａは、装着者の右側又は左側において前後に往復して腰回りを半周するだけである。
【００３４】
そして、図４の装着方法では、左右のストッキング吊り具１の腰回り輪１０ａを、装着者の前側（腹側）及び後側（背中側）においてＸ状交差させて引っ掛けることで、左右の腰回り輪１０ａが一体となって腰回りを周回するように構成している。
【００３５】
（第二実施形態）
続いて、本発明の第二実施形態について説明する。図５は、第二実施形態に係るストッキング吊り具の斜視図である。図６は、第二実施形態に係るストッキング吊り具の装着状態を示す図である。
【００３６】
第一実施形態では、片脚用のストッキング吊り具１について説明したが、本実施形態では、両脚用のストッキング吊り具３について説明する。ストッキング吊り具３は、上述した片脚用のストッキング吊り具１を二つ組み合わせた構成となっている。したがって、ストッキング吊り具３を構成する部材は、ストッキング吊り具１を構成する部材と同じ構成のものが多いため、本実施形態では、主として異なる構成について説明する。
【００３７】
ストッキング吊り具３は、右脚用吊り具３０と、左脚用吊り具４０と、右脚用吊り具３０と左脚用吊り具４０とを連結して組み合わせるための左右連結具５０とを備えている。右脚用吊り具３０及び左脚用吊り具４０は、着脱部材１５を備えていないが、その他は上述したストッキング吊り具１と同様の構成である。
【００３８】
右脚用吊り具３０は、右脚用牽引紐３１と、右脚用牽引紐３１の両端から所定の位置を重ねて交差させた状態で連結する右脚用交差連結具３３と、右脚用牽引紐３１の両端に設置された右脚用クリップ３５と備えている。
【００３９】
第一実施形態と同様に、右脚用牽引紐３１は、テープ状紐から構成され、その両端にはエイトカン３２がそれぞれ設置されている。また、右脚用交差連結具３３としてはエイトカンが用いられている。右脚用クリップ３５は、ガーターベルトに用いられているボストンが使用され、エイトカン３２によって形成された輪の部分が通されて、右脚用牽引紐３１の両端に接続設置されている。
【００４０】
左脚用吊り具４０は、左右が逆になるだけで、上述した右脚用吊り具３０と同じ構成であり、両端にエイトカン４２が設置された左脚用牽引紐４１と、左脚用交差連結具４３と、左脚用クリップ４５とを備えている。
【００４１】
左右連結具５０は、装着者の前側（腹側）において右脚用牽引紐３１と左脚用牽引紐４１とをＸ状に交差した状態で連結する前側左右連結具５１と、装着者の後側（背中側）において右脚用牽引紐３１と左脚用牽引紐４１とをＸ状に交差した状態で連結する後側左右連結具５３とを備えている。前側左右連結具５１及び後側左右連結具５３としては、エイトカンを用いている。
【００４２】
第二実施形態に係るストッキング吊り具３のサイズは、牽引紐３１，４１の幅が10mm、エイトカン３２，４２及びクリップ３５，４５の内幅（牽引紐３１，４１が通される部分の幅）が10mm、連結具３３，４３，５１，５３の内幅が13mmである。また、牽引紐３１，４１の全長は70cmであり、交差連結具３３，４３から飛び出した突出部分３１ｂ，４１ｂの長さはそれぞれ5cmである。よって、牽引紐３１，４１を装着した際の腰回り輪３１ａ，４１ａの周長は60cmとなる。
【００４３】
続いて、ストッキング吊り具３の使用態様について説明する。ストッキング吊り具３の装着にあたっては、本実施形態に係る牽引紐３１，４１には上述した着脱部材１５が設けられていないため、まず、牽引紐３１，４１の腰回り輪３１ａ，４１ａを一緒に広げて、装着者の足を通し、牽引紐３１，４１を腰回りに装着する。
【００４４】
このとき、ストッキング吊り具３の前側左右連結具５１が装着者の前側の左右中心付近、後側左右連結具５３が後側の左右中心付近に位置するようにストッキング吊り具３の位置を調整する。そうすると、右脚用吊り具３０の右脚用交差連結具３３が右脚の前面の略中心に位置すると共に、左脚用吊り具４０の左脚用交差連結具４３が左脚の前面の略中心に位置する。
【００４５】
この状態で、右脚用牽引紐３１の両先端部の右脚用クリップ３５を、右脚に装着されたガーターストッキング８の開口上端の二箇所を挟み込むように取り付け、左脚用牽引紐４１の両先端部の左脚用クリップ４５を、左脚に装着されたガーターストッキング８の開口上端の二箇所を挟み込むように取り付ける。
【００４６】
これにより、両脚用のストッキング吊り具３の装着が完了する。装着状態では、図６に示すように、右脚用牽引紐３１の両側端から所定の位置が、右脚用交差連結具３３において、Ｘ状にクロスした状態となり、左脚用牽引紐４１の両側端から所定の位置が、左脚用交差連結具４３において、Ｘ状にクロスした状態となる。
【００４７】
また、装着状態では、右脚用牽引紐３１の腰回り輪３１ａは、装着者の左腰の部分から右脚太腿部分に向けて右側下がりで腰回りを一周し、左脚牽引紐４１の腰回り輪４１ａは、装着者の右腰の部分から左脚太腿部分に向けて左側下がりで腰回りを一周する。
【００４８】
よって、右脚用牽引紐３１の腰回り輪３１ａと、左脚用牽引紐４１の腰回り輪４１ａとは、装着者の前側の前側左右連結具５１においてＸ状にクロスし、装着者の後側の後側左右連結具５３においてＸ状にクロスする。すなわち、ストッキング吊り具３の装着状態を前側から見ると、装着者の前側部分の三箇所で牽引紐３１，４１がＸ状にクロスした状態となり、デザイン的に優れた印象を与えることができる。
【００４９】
以上、第二実施形態に係る両脚用のストッキング吊り具３によれば、第一実施形態と同様の作用効果を奏すると共に、両脚のガーターストッキング８を吊り上げながらお洒落に装着することができる。また、第二実施形態によれば、第一実施形態のように片脚用のストッキング吊り具１を左右の脚用に別々に装着するのではなく、一度に簡単に両脚用に装着することができる。
【００５０】
（第三実施形態）
続いて、本発明の第三実施形態について説明する。図７は、第三実施形態に係るストッキング吊り具の斜視図である。図８は、第三実施形態に係るストッキング吊り具の装着状態を示す図である。
【００５１】
本実施形態では、第二実施形態と同様に、両脚用のストッキング吊り具６について説明する。ストッキング吊り具６も、上述したストッキング吊り具３と同様に、片脚用のストッキング吊り具１を二つ組み合わせた構成となっている。したがって、ストッキング吊り具６を構成する部材は、ストッキング吊り具１を構成する部材と同じ構成のものが多いため、本実施形態では、主として異なる構成ついて説明する。
【００５２】
ストッキング吊り具６は、第二実施形態と同様に、右脚用吊り具６０と、左脚用吊り具７０と、右脚用吊り具６０と左脚用吊り具７０とを連結して組み合わせるための左右連結具８０とを備えている。
【００５３】
右脚用吊り具６０は、両端にエイトカン６２が設置された右脚用牽引紐６１と、右脚用交差連結具６３と、右脚用クリップ６５とを備えている。左脚用吊り具７０も同様に、両端にエイトカン７２が設置された左脚用牽引紐７１と、左脚用交差連結具７３と、左脚用クリップ７５とを備えている。
【００５４】
但し、本実施形態では、右脚用牽引紐６１及び左脚用牽引紐７１がそれぞれ腰回りを一周するのではなく、右脚用牽引紐６１の腰回り輪６１ａは、装着時に装着者の右側において前後に往復して延在しており、腰回りの右側を半周するだけである。また、左脚用牽引紐７１の腰回り輪７１ａは、装着時に装着者の左側において前後に往復して延在しており、腰回りの左側を半周するだけである。
【００５５】
そして、装着時に人体の右側で半周する右脚用牽引紐６１と、人体の左側で半周する左脚用牽引紐７１とが、左右連結具８０によって一体に連結されることで、装着者の腰回りを一周する腰回り輪が構成されることになる。
【００５６】
左右連結具８０は、前側左右連結具８１と、後側左右連結具８３とを備えている。前側左右連結具８１は、第二実施形態と同様にエイトカンを用いているが、後側左右連結具８３は、連結する右脚用牽引紐６１と左脚用牽引紐７１とを着脱可能なように、着脱式後側左右連結具８３であるゼットカンを用いている。また、第三実施形態に係るストッキング吊り具６のサイズは、上述した第二実施形態に係るストッキング吊り具３と同じである。
【００５７】
続いて、ストッキング吊り具６の使用態様について説明する。ストッキング吊り具６の装着にあたっては、着脱式後側左右連結具８３により左右を連結したままで、第二実施形態と同様に、右脚用牽引紐６１と左脚用牽引紐７１とによって構成される腰回りの輪を広げて、装着者の足を通し、牽引紐６１，７１を腰回りに装着しても良い。
【００５８】
また、着脱式後側左右連結具８３を外した状態で、前側左右連結具８１によって連結された右脚用牽引紐６１と左脚用牽引紐７１とを前側から装着者の腰回りを一周するように配置してから、着脱式後側左右連結具８３によって牽引紐６１，７１を人体の後側で連結することで、牽引紐６１，７１を腰回りに装着するようにしても良い。
【００５９】
こうすれば、牽引紐６１，７１によって構成される輪に足を通す必要がないので、片脚立ちの困難な高齢者等であっても、手軽にストッキング吊り具６を装着することができる。
【００６０】
以上、第三実施形態に係るストッキング吊り具６によれば、第一実施形態や第二実施形態と同様の作用効果を奏すると共に、高齢者等であっても手軽に装着することができる。
【００６１】
以上、本発明の第一〜第三実施形態について説明したが、本発明の実施の形態は上記実施形態に限定されるものではなく、本発明の主旨を逸脱しない範囲内で種々の変形が可能である。例えば、ストッキング吊り具のサイズや形状等は適宜変更可能であり、装着者の体型等に合わせて適宜変更すれば良い。
【００６２】
また、上記実施形態では、牽引紐の交差連結具からの両端の突出部分の長さも適宜変更可能であるが、短すぎると、ガーターストッキングの二箇所の留め位置が近付きすぎてしまって斜め上方に牽引できなくなってしまうので望ましくなく、長すぎると、牽引する力が弱くなってしまって望ましくない。よって、突出部分の長さは、3〜10cm程度が望ましい。
【００６３】
また、上記実施形態では、牽引紐として、ブラジャーの肩紐等として用いられている細いテープ状紐を用いているが、ストッキング素材の布を丸めて作った伸縮性の高いストッキング製紐（伸縮率が2.5倍）等、適宜他の素材や形状の紐を用いても良い。但し、ストッキング吊り具がずり落ちたり、ガーターストッキングの開口を適度に締め付けたりするためには、伸縮率の高い紐を用いるのが望ましく、1.3倍以上の伸縮率を有する紐を用いるのが望ましい。
【００６４】
また、上記実施形態では、交差連結具としてエイトカンを用いているが、牽引紐をクロスした状態で連結する交差連結具として、他の構成の部材を用いても良い。図９は、交差連結具の変形例を示す図であり、例えば、図９（ａ）や図９（ｂ）に示す構造の部材を交差連結具として用いることができる。
【００６５】
また、本実施形態では、ストッキング吊り具により吊り上げる長靴下として、ガーターストッキングを例に挙げて説明したが、ハイソックス等の他の長靴下を吊り上げ対象とすることができる。
【符号の説明】
【００６６】
１    ストッキング吊り具
１０  牽引紐
１２  エイトカン
１５  着脱部材
１６  エイトカン
１７  ゼットカン
２０  交差連結具
２５  クリップ
３    ストッキング吊り具
３０  右脚用吊り具
３１  右脚用牽引紐
３２  エイトカン
３３  右脚用交差連結具
３５  右脚用クリップ
４０  左脚用吊り具
４１  左脚用牽引紐
４２  エイトカン
４３  左脚用交差連結具
４５  左脚用クリップ
５０  左右連結具
５１  前側左右連結具
５３  後側左右連結具
６    ストッキング吊り具
６０  右脚用吊り具
６１  右脚用牽引紐
６２  エイトカン
６３  右脚用交差連結具
６５  右脚用クリップ
７０  左脚用吊り具
７１  左脚用牽引紐
７２  エイトカン
７３  左脚用交差連結具
７５  左脚用クリップ
８０  左右連結具
８１  前側左右連結具
８３  着脱式後側左右連結具
８    ストッキング
【図１】
2016151079.tif 000003
【図２】
2016151079.tif 000004
【図３】
2016151079.tif 000005
【図４】
2016151079.tif 000006
【図５】
2016151079.tif 000007
【図６】
2016151079.tif 000008
【図７】
2016151079.tif 000009
【図８】
2016151079.tif 000010
【図９】
2016151079.tif 000011